(57)【要約】      （修正有）【課題】不要な部分を切断しながら切断後のシート端部同士を接着テープで貼り合わせるのに好適なシート貼り合わせツールを提供する。【解決手段】シート貼り合わせツール１は、幅方向を長手方向とする手持ちサイズのケース２と、ケースの長手方向前部内に刃を長手方向前方に向けて配置し、刃先３ｂをケースの底２１よりも下方に突出するシートカッター３と、ケース内の長手方向後方にシートカッター３と対向配置されたテープフィルム４２がリールに巻回された片面接着テープ４と、切断片を上方に持ち上げるスクレーパー部２２と、スクレーパー部で持ち上げられた切断片１２１をケース外に排出する切断片排出溝３０と、を有する。【選択図】図１
0003214587.tif 000002
【実用新案登録請求の範囲】
【請求項１】
互いに重なるシート端部を切断対象とし、切断後のシート端部を接着テープで貼り付けるシート貼り合わせツールであって、
手持ちサイズに形成され、幅方向を長手方向とするケースと、
前記ケースの長手方向前部内に刃を長手方向前方に向けて配置し、刃先を前記ケースの底よりも下方に突出するシートカッターと、
前記ケース内の長手方向後方に前記シートカッターと対向して回転可能に配置され、片面を接着面とするテープフィルムがリールに巻回され、前記ケースの下端で当接しながら前記接着面を下向きで前記ケースの長手方向後方から前記ケース外に引き出される片面接着テープと、
前記シートカッターと前記片面接着テープとの間に配置され、前記ケースの長手方向前方への移動により、前記シートカッターで切断された前記重なり合う上側のシート端部の切断片を上方に持ち上げるスクレーパー部と、
前記スクレーパー部で持ち上げられた前記切断片を前記ケース外に排出する前記ケースに設けられた切断片排出溝と、
を有することを特徴とするシート貼り合わせツール。
【請求項２】
請求項１において、
前記スクレーパー部は、前記カッターに対向し、前記切断片をすくい上げる分離爪と、前記分離爪ですくい上げられた前記切断片を前記ケースの長手方向前方への移動に従って上方に持ち上げ、前記切断片排出溝に導く傾斜面と、を有することを特徴とするシート貼り合わせツール。
【請求項３】
請求項１及び２のいずれか１項において、
片面接着テープのテープフィルムと当接する前記ケースの下端は、湾曲形状に形成されていることを特徴とするシート貼り合わせツール。
【請求項４】
請求項１乃至３のいずれか１項において、
前記シートカッターは、前記片面接着テープのテープフィルムの幅方向中央位置に一致して配置することを特徴とするシート貼り合わせツール。
【考案の詳細な説明】
【技術分野】
【０００１】
本考案は、シートを切断し貼り合わせるシート貼り合わせツールに係り、特に、不要な部分を切断しながら切断後のシート端部同士を接着テープで貼り合わせるのに好適なシート貼り合わせツールに関する。
【背景技術】
【０００２】
２枚のシートを貼り合わせる際に、シート端部の余白部分が不要の場合、又は繋ぎ目を綺麗に仕上げる方法として、シートの端部同士を重ね合わせ、重ね合わせた部分の所定位置でシートカッターにより切断するのが一般的である（特許文献１）。
【０００３】
新聞や地図などを貼り合わせる場合、切断後のシート端同士を突き合わせ、その上から接着テープで貼り付けて接着する。
【先行技術文献】
【特許文献】
【０００４】
【特許文献１】特開２００８−１２１２４９号公報（段落〔０００２〕）
【考案の概要】
【考案が解決しようとする課題】
【０００５】
従来、新聞や地図などの余白を切断してシート端同士を突き合わせ、その上から接着テープで貼り付けて接着する作業では、シートの端部同士を重ね合わせて切断する工程と、切断後のシート端同士を突き合わせ、その上から接着テープで貼り付けて接着する工程が別々に行われるため、面倒であった。
【０００６】
そこで、本考案は、このような従来の技術の有する未解決の課題に着目してなされたものであって、不要な部分を切断しながら切断後のシート端部同士を接着テープで貼り合わせるのに好適なシート貼り合わせツールを提供することを目的としている。
【課題を解決するための手段】
【０００７】
〔考案１〕  上記目的を達成するために、考案１のシート貼り合わせツールは、互いに重なるシート端部を切断対象とし、切断後のシート端部を接着テープで貼り付けるシート貼り合わせツールであって、手持ちサイズに形成され、幅方向を長手方向とするケースと、前記ケースの長手方向前部内に刃を長手方向前方に向けて配置し、刃先を前記ケースの底よりも下方に突出するシートカッターと、前記ケース内の長手方向後方に前記シートカッターと対向して回転可能に配置され、片面を接着面とするテープフィルムがリールに巻回され、前記ケースの下端で当接しながら前記接着面を下向きで前記ケースの長手方向後方から前記ケース外に引き出される片面接着テープと、前記シートカッターと前記片面接着テープとの間に配置され、前記ケースの長手方向前方への移動により、前記シートカッターで切断された前記重なり合う上側のシート端部の切断片を上方に持ち上げるスクレーパー部と、前記スクレーパー部で持ち上げられた前記切断片を前記ケース外に排出する前記ケースに設けられた切断片排出溝と、を有する。
【０００８】
〔考案２〕  さらに、考案２のシート貼り合わせツールは、考案１のシート貼り合わせツールにおいて、前記スクレーパー部は、前記カッターに対向し、前記切断片をすくい上げる分離爪と、前記分離爪ですくい上げられた前記切断片を前記ケースの長手方向前方への移動に従って上方に持ち上げ、前記切断片排出溝に導く傾斜面と、を有する。
【０００９】
〔考案３〕  さらに、考案３のシート貼り合わせツールは、考案１及び２のいずれか１のシート貼り合わせツールにおいて、片面接着テープのテープフィルムと当接する前記ケースの下端は、湾曲形状に形成されている。
【００１０】
〔考案４〕  さらに、考案４のシート貼り合わせツールは、考案１乃至３のいずれか１のシート貼り合わせツールにおいて、前記シートカッターは、前記片面接着テープのテープフィルムの幅方向中央位置に一致して配置する。
【考案の効果】
【００１１】
以上説明したように、考案１のシート貼り合わせツールによれば、片手操作によりシートの切断処理と、切断後のシート端部同士を貼り合わせる処理を同時に行うことができ、貼り合わせ作業の容易化と貼り合わせ作業時間の短縮が図れる。特に、切断処理が開始されると、切断片がケース外に排出されるので、接着テープによる貼り合わせに支障がない。
【００１２】
さらに、考案２のシート貼り合わせツールによれば、切断片が静電気等で下のシートに吸着していても、分離爪で分離して上方に持ち上げられ、速やかに切断片排出溝からケースの外に排出されるので、切断片が接着テープによる貼り合わせに邪魔とはならない。
【００１３】
さらに、考案３のシート貼り合わせツールによれば、片面接着テープのテープフィルム４２を後方にスムーズに引き出しながらシート端部同士を確実に接着すことができる。
【００１４】
さらに、考案４のシート貼り合わせツールによれば、貼り合わせ対象のシート端部に対して偏りなく等分にテープフィルムで接着することができる。
【図面の簡単な説明】
【００１５】
【図１】シート貼り合わせツール１の外観斜視図である。
【図２】シート貼り合わせツール１の正面図である。
【図３】図１のＡ−Ａ線に沿った縦断面図である。
【図４】（ａ）がシート貼り合わせツール１の右側面図、（ｂ）がシート貼り合わせツール１の底面図である。
【図５】シート貼り合わせツール１による余白の切断からシート貼り合わせの流れを説明する図である。
【考案を実施するための形態】
【００１６】
以下、本考案の実施形態を説明する。図１乃至図５は、本実施形態を示す図である。
まず、本実施の形態の構成を説明する。
【００１７】
図１は、シート貼り合わせツール１の外観斜視図である。
まず、図１において、シート貼り合わせツール１によるシート貼り合わせ対象１００の一例を説明する。シート貼り合わせ対象１００は、第１シート１１０の第１シート端１１１と、切断片をなす余白１２１を有する第２シート１２０である。第１シート端１１１と、第２シート１２０の余白１２１と画像表示領域１２２との境界線１２３とを突き合わせると共に互いのマークＭ１、Ｍ２を合わせ、突合せ部分の表面を接着テープで貼り合わせる際、余白１２１が邪魔となる。
【００１８】
シート貼り合わせツール１により、シート貼り合わせ対象１００を貼り合わせする場合、予め第１シート１００の上に第２シート１２０を重ね第１シート端１１１と境界線１２３を一致させる。
【００１９】
次に、シート貼り合わせツール１の構成を説明する。
図２は、シート貼り合わせツール１の正面図である。図３は、図１のＡ−Ａ線に沿った縦断面図である。図４は、（ａ）がシート貼り合わせツール１の右側面図、（ｂ）がシート貼り合わせツール１の底面図である。
【００２０】
シート貼り合わせツール１は、ケース２と、シートカッター３と、リールに片面接着テープフィルムを巻回した片面接着テープ４とにより構成される。ケース２は、片手で握ってシート貼り合わせ対象１００の上面を矢印Ｂ方向に沿ってスライド可能なサイズに幅（Ｗ）と高さ（Ｈ）と左右方向である厚み（Ｔ）が設定された直方体形状に形成されている。図１において、ケース２の幅方向右側を前方、左側を後方とする。ケース２内には、幅方向前方にシート貼り合わせ対象１００のシートを切断するシートカッター３が配置され、後方にロール状に巻回された片面接着テープ４が配置されている。シートカッター３は刃３ａを前方に向けて前後方向に沿って配置されている。また、シートカッター３は厚み（Ｔ）の中央位置に配置され、刃先３ｂを下向きして配置されている。
【００２１】
ケース２の底２１は、スクレーパー部２２を除いて開口しており、スクレーパー部２２の前方の第１開口部２３には、シートカッター３の刃先３ｂが臨む。スクレーパー部２２の後方の第２開口部２４には、片面接着テープ４が臨む。シートカッター３の刃先３ｂはケース２の底２１よりも下方に突出している。シートカッター３の刃先３ｂは、少なくとも第２シート１２０を切断できる長さから第１シート１００まで切断できる長さまでケース２の底２１よりも下方に突出していればよい。その突出長さはコピー用紙を２枚重ねた厚さ程度の短い長さなので、図２中に刃先拡大図を示す。
【００２２】
シートカッター３は、ケース２内に設けたシートカッター取り付け台２５に上下方向の取り付け位置を調節可能に取り付けられ、刃先３ｂの突出長さを調節可能としている。シートカッター３の取り付け位置調節手段としては、シートカッター取り付け台２５に上下方向に沿って長孔を形成し、シートカッター３の孔３ｃ及び前記長孔の所定位置にねじ（不図示）を通し、前記ねじをナット（不図示）で締め付けてシートカッター３の取り付け位置を調節できる構成を例示できる。
【００２３】
図１に戻り、シート貼り合わせ対象１００の第２シート１２０の余白１２１を境界線１２３にシートカッター３の刃先３ｂを合わせ、シート貼り合わせツール１を矢印Ｂで示す前方に向けて引くと、第２シート１２０が境界線１２３で切断され、余白１２１が境界線１２３から分離される。
【００２４】
スクレーパー部２２は、底壁２６と、シートカッター３に対向する傾斜面２７と、低壁２６と傾斜面２７とが突き合わさった鋭角の分離爪２８とにより構成される。底壁２６の下面は平坦面に形成され、余白１２１が分離した第２シート１２０と第１シート１１０の上面を摺動しながら押圧する。分離爪２８は、シートカッター３で切断された余白１２１をすくい上げて第１シート１１０の上面から分離して傾斜面２７に案内する。
【００２５】
傾斜面２７は、シートカッター３から片面接着テープ４側に向けて登り傾斜に形成されている。シート貼り合わせ対象１００の所定位置にシート貼り合わせツール１を合わせて矢印Ｂ方向に引くと、余白１２１がシートカッター３で切断される。切断された余白１２１が第１シート１１０上に残っていると、切断された余白１２１が片面接着テープ４による第１シート１１０と第２シート１２０との接着に支障が生じるおそれがある。このため切断された余白１２１は、スクレーパー部２２の分離爪２８で分離され、傾斜面２７に沿って上方に持ち上げられる。
【００２６】
シート貼り合わせツール１は、右壁２９に傾斜面２７に沿って切断片排出溝をなす切欠溝３０が形成されている。分離爪２８で分離されて傾斜面２７に沿って持ち上げられた余白１２１は、切欠溝３０からケース２の外部に排出される。分離爪２８で分離された余白１２１が切欠溝３０に効率よく導けるように、傾斜面２７を切欠溝３０に向けて捩じるようにしている。また、傾斜面２７の上端にストッパー片２７ａを設け、傾斜面２７を上った余白１２１の先端がストッパー片２７ａに当接して余白１２１が傾斜面２７を乗り越えないようにしている。
【００２７】
傾斜面２７は、ケース２内の厚み方向の全長にわたって形成しても良いが、切断された余白１２１を持ち上げればよいので、シートカッター３と右壁２９との間のみに設けても良い。この場合、傾斜面２７の左端と左壁３１との間の空間を仕切るために、傾斜面２７の左端に仕切り壁（不図示）を設けても良い。
【００２８】
スクレーパー部２２は、底壁２６の後端と傾斜面２７の上端との間に上下方向に内壁３２を設けても良い。この内壁３２は、底壁２６の補強部材としての役割と、片面接着テープ４のテープフィルム４２の仮止めの役割を果たす。
【００２９】
片面接着テープ４は、円筒形状のリール４１にテープフィルム４２が巻回されている。テープフィルム４２は、透明又は半透明のフィルム基材４３の内面側を接着面４４としている。リール４１は、ケース２に設けた取り付け軸３３に軸支され、ケース２に回転自在に取り付けられている。ケース２は例えば左右方向の中央位置で、左右に左ケース部２Ａと右ケース部２Ｂに２分割された構造に形成することができ、スクレーパー部２２と取り付け軸３３は左ケース部２Ａと右ケース部２Ｂの接合する接合面を中心として対称に形成する。スクレーパー部２２と取り付け軸３３は、左右方向にそれぞれ２分割される。左ケース部２Ａと右ケース部２Ｂとが接合する接合端２Ｃはシートカッター３の刃３ｂに一致している。テープフィルム４２の幅方向中央は接合端２Ｃに一致する。したがって、テープフィルム４２は、切断後の第１シート１１０と第２シート１２０の端部に対して等幅で接着する。
【００３０】
片面背着テープ４は、左ケース部２Ａと右ケース部２Ｂを取り外した状態において、２分割された取り付け軸３３の一方に軸支され、左ケース部２Ａと右ケース部２Ｂを結合することにより、ケース２内に取り付けられる。ケース２の後壁３４の下端部には、ケース２の内側に膨らむ湾曲形状の摺動部３５が形成されている。片面接着テープ４は、第１シート１１０のシート端１１１と、第２シート１２０の境界線１２３である余白１２１の切断後の新たな第２シート端とが突き合わさった状態で、突合せ部分の表面を接着面４４に押し付けられて接着し、第１シート１１０と第２シート１２０を貼り付ける。フィルム基材４３の外周面が摺動部３５に接触する。シート貼り合わせツール１を使用しない場合は、テープフィルム４２の先端を内壁３２の外面に接着して仮止めする。
【００３１】
次に、図１及び図５を参照してシート貼り合わせツール１による余白１２１の切断と、テープフィルム４２による第１シート１１０と第２シート１２０との貼り合わせを説明する。図５は、シート貼り合わせツール１による余白の切断からシート貼り合わせの流れを説明する図である。
【００３２】
図１及び図５（ａ）に示すように、シート貼り合わせ対象１００の第１シート１１０を載置プレート２００上に載置し、第１シート１１０のシート端１１１に第２シート１２０の境界線１２３を合わせるようにして第２シート１２０を第１シート１１０の上に載置する。なお、載置プレート２００上に表示した位置合わせ目盛り２０１にシート端１１１を合わせると境界線１２３との位置合わせを容易に行うことができる。
【００３３】
シート貼り合わせ対象１００の準備が完了すると、シート貼り合わせツール１のテープフィルム４２の先端を引き出し、境界線１２３の一端である切断始点よりも後方位置において、載置プレート２００上の位置合わせ目盛り２０１上に接着する。
【００３４】
次いで、図１及び図５（ｂ）に示すように、シート貼り合わせツール１の刃先３ｂを第２シート１２０の境界線１２３上で、切断始点である境界線１２３の一端に合わせる。その際、ケース２の接合端２Ｃを位置合わせ目盛り２０１に合わせてケース２を第２シート１２０の上に押し付けると、シートカッター３の刃先３ｂが境界線１２３上で第２シート１２０に突き刺さる。
【００３５】
そして、シート貼り合わせツール１を矢印Ｂ方向に移動すると、図５（ｃ）に示すように、第２シート１２０の境界線１２３から余白１２１の切断が開始され、切断後の余白１２３がスクレーパー部２２の分離爪２８で第１シート１１０の上面から分離され傾斜面２７に沿って上方に持ち上げられながら切欠溝３０に導かれてケース２外に排出される。
【００３６】
図１及び図５（ｃ）に示すように、シート貼り合わせツール１の矢印Ｂ方向への移動が開始されると、片面接着テープ４のテープフィルム４２が引き出され、第１シート１１０の第１シート端１１１と、第２シート１２０の余白１２１の切断後に生じた第２シート端である境界１２３とが突き合わされる。
【００３７】
そして、図１及び図５（ｄ）に示すように、第１シート１１０と第２シート１２０との突合せ部の上面にテープフィルム４２の接着面４４が貼り付けられ、ケース２の摺動部３５に押し付けられて確実にテープフィルム４２により第１シート１１０と第２シート１２０との貼り付けが余白１２１の切断と並行して行われる。シート貼り合わせ対象１００へのテープフィルム４２の接着が完了すると、テープフィルム４２をテープカッターなどで切断することで、シート貼り合わせ対象１００が１枚のシートとなる。なお、ケース２の後壁３４の外側に鋸刃形状のテープカッター３６を設け、摺動部３５を支点としてケース２を後方に持ち上げてテープカッター３６によりテープフィルム３６を切断できるようにしても良い。
【００３８】
次に、本実施の形態の効果を説明する。
本実施形態のシート貼り合わせツール１によれば、片手でシート貼り合わせツール１を操作し、第１シート１１０と第２シート１２０の２枚のシートを片面接着テープ４で貼り合わせる際に、第２シート１２０の貼り合わせに邪魔な余白１２１の切断と接着動作を並行して行うことができるので、貼り合わせ作業の容易化と貼り合わせ作業時間の短縮が図れる。
【００３９】
なお、切断後の余白１２１は、右壁２９に設けた切欠溝３０からケース２の外に排出するようにしているが、ケース２の傾斜面２７をケース２の上壁２Ｄまで延長し、傾斜面２７の延長端の上壁２Ｄに切断後の余白１２１を排出する排出溝（不図示）を設けるようにしても良い。この場合、切欠溝３０を前記排出溝に連設することにより、余白１２１の幅が広い場合でも、余白１２１の一部が切欠溝３０からはみ出しながら前記排出溝を通ってケース２外に排出できる。
【００４０】
また、第２シート１２０の余白１２１を境界線１２３で切断する場合を例にして説明したが、第１シート１１０と第２シート１２０に共に余白があり、双方の余白を切断し、切断後のシート端同士を突き合わせるようにしても良い。この場合、下側の第１シート１１０の余白は第２シート１２０の下側に位置するので、片面接着テープ４による第１シート１１０と第２シート１２０の貼り付けに支障とはならない。
【００４１】
さらに重なり合う第１シート１１０と第２シート１２０を任意の位置で切断し、切断後のシート端同士の突合せ部分を片面接着テープ４で貼り合わせるようにしても良い。
【００４２】
また、スクレーパー部２２により切断後の余白１２１が静電気等で下の第１シート１１０に吸着していても、分離爪２８で分離して上方に持ち上げられ、速やかに切欠溝３０からケース２の外に排出されるので、切断後の余白１２１が接着テープによる貼り合わせに邪魔とはならない。
【００４３】
さらに、摺動部３５は湾曲しているので、片面接着テープ４のテープフィルム４２を後方にスムーズに引き出しながらシート端部同士を確実に接着すことができる。
【００４４】
なお、シートカッター３は接着テープ４のテープフィルム４２の幅方向中央位置に一致しているので、第１シート１１０と第２シート１２０のシート端部に対して偏りなく等分にテープフィルム４２で接着することができる。
【符号の説明】
【００４５】
１…シート貼り合わせツール、  ２…ケース、  ２Ａ…左ケース部、  ２Ｂ…右ケース部、  ２Ｃ…接合端、  ２Ｄ…上壁、  ２１…底、  ２２…スクレーパー部、  ２３…第１開口部、  ２４…第２開口部、  ２５…シートカッター取り付け台、  ２６…底壁、  ２７…傾斜面、  ２８…分離爪、  ２９…右壁、  ３０…切欠溝、  ２７ａ…ストッパー片、  ３１…左壁、  ３２…内壁、  ３３…取り付け軸、  ３４…後壁、  ３５…摺動部、  ３６…テープカッター、  ３…シートカッター、  ３ａ…刃、  ３ｂ…刃先、  ３ｃ…孔、  ４…片面接着テープ、  ４１…リール、  ４２…テープフィルム、  ４３…フィルム基材、  ４４…接着面、  １００…シート貼り合わせ対象、  １１０…第１シート、  １１１…第１シート端１２０…第２シート、  １２１…余白、  １２２…画像表示領域、  １２３…境界線、  ２００…載置プレート、  ２０１…位置合わせ目盛り、  Ｂ…矢印、  Ｗ…幅、  Ｈ…高さ、  Ｔ…厚み、  Ｍ１、Ｍ２…マーク
【図１】
0003214587.tif 000003
【図２】
0003214587.tif 000004
【図３】
0003214587.tif 000005
【図４】
0003214587.tif 000006
【図５】
0003214587.tif 000007